(57)【要約】【課題】  超音波のドップラーシフトから得られた血流速度Ｖから血液の流動性を算出する非侵襲ドップラー方式生体情報測定装置において、動脈血管径ｄの個体差（個人差）に依存するデータのばらつきを低減し、手軽に誰でも使用でき、より精度の高いレオロジー測定装置を提供する。【解決手段】  透過光で動脈血管像を撮影し、画像から動脈血管径ｄを抽出し、血流速度Ｖ、血圧Ｐ、動脈血管径ｄから血液粘性指標を算出する。異なる波長の透過画像データを比較するか、画像データ上の画素の輝度変化から、動脈血管像のみを抽出し、動脈血管径ｄを得る。【選択図】  図２
2006204432.tif 000002
【特許請求の範囲】
【請求項１】
生体中の血管内を流れる血液の血流速度の情報を検出して出力する血流速度測定手段と、前記血管の血管を撮像し、得られた撮像画像から血管径の情報を出力する血管像観察手段と、前記血流速度測定手段から出力された前記血流速度の情報と前記血管像観察手段から出力された前記血管径の情報とを用いて前記生体の血液粘性指標を算出する演算手段と、を有することを特徴とする生体情報測定装置。
【請求項２】
前記血管像観察手段は、前記生体内に対して光を照射する照明装置と、該照明装置から照射され前記生体内を通過した前記光を受光して前記血管径の情報を出力する撮像装置とを有することを特徴とする請求項１に記載の生体情報測定装置。
【請求項３】
前記撮像装置は、前記照明装置から照射され前記生体内を通過した前記光を受光して画素毎の画像情報を出力する撮像素子部と、該撮像素子部から出力された前記画像情報から所定の画像処理手法を用いて、前記血管径の情報を出力する画像データ処理装置とからなることを特徴とする請求項２に記載の生体情報測定装置。
【請求項４】
前記撮像素子部から出力される前記画像情報は、前記画素毎に受光した前記光の強度または位相を、前記画素毎の輝度または濃淡を表す数値に変換したデータ値からなることを特徴とする請求項３に記載の生体情報測定装置。
【請求項５】
前記照明装置は、赤外光を発光可能であり、前記撮像装置は、前記画像情報から輝度が低い領域を動脈血管の画像として抽出し、動脈血管径の情報を出力することを特徴とする請求項２〜４のいずれかに記載の生体情報測定装置。
【請求項６】
前記照明装置は、複数の波長の光をそれぞれ発光可能であり、前記撮像装置は、異なる波長によって撮像した複数の前記画像情報を比較しながら演算することにより、動脈血管の画像を抽出し、該動脈血管の画像以外の画素は消去して、該動脈血管径の情報を出力することを特徴とする請求項２〜４のいずれかに記載の生体情報測定装置。
【請求項７】
前記撮像装置は、一定時間ごとに連続して撮像した画像情報を蓄積し、前記画像情報の画素毎の輝度または濃淡の時間変化情報を検出し、前記画素の輝度の前記時間変化情報が生体の脈拍に伴う周波数成分を有している場合を動脈血管の画像信号として抽出し、前記動脈血管の画像信号以外の画像信号を消去して、動脈血管径の情報を出力することを特徴とする請求項２〜４のいずれかに記載の生体情報測定装置。
【請求項８】
前記演算手段は、前記血流速度のピーク値と、前記血流速度のピーク値と同時刻における前記動脈血管径とから前記血液粘性指標を算出することを特徴とする請求項２〜４、及び６のいずれかに記載の生体情報測定装置。
【請求項９】
前記演算手段は、前記血流速度測定手段から出力された前記血流速度の情報を所定の時間にわたって蓄積し、蓄積された前記血流速度の情報から脈拍に伴う周波数情報を抽出する周波数解析手段を有することを特徴とする請求項１〜８のいずれかに記載の生体情報測定装置。
【請求項１０】
前記血流速度測定手段は、生体中に超音波を入射する発信手段と入射された超音波が生体中の血液で反射された反射波を受信する受信手段とからなる１対の超音波センサを、互いに異なる角度で基板上に２対備えることを特徴とする請求項１〜９のいずれかに記載の生体情報測定装置。
【請求項１１】
前記照明装置は、観察対象に対して移動可能に設けられていることを特徴とする請求項１〜１０のいずれかに記載の生体情報測定装置。
【発明の詳細な説明】
【技術分野】
【０００１】
本発明は、生体内の血液の流動性を示す血液レオロジーの評価のための特に動脈血管中を流れている血液の粘性状態を測定する技術に関する。
【背景技術】
【０００２】
人体の健康状態を判断する検査項目のひとつとして、血液の流動性に着目した血液レオロジー測定が注目されている。血液レオロジーを測定する手段として、被験者より採血した一定量の血液が微小流路（マイクロチャネル）を通過する時間を測定する微小流路流動分析装置が開発されている（非特許文献１参照。）。現在においては、微小流路流動分析装置は、血液レオロジー測定における標準機とされている。
【０００３】
しかし、微小流路流動分析装置による測定においては上記のように必ず採血を行う必要があり、測定が行えるのは医療機関に限られ、いつでもだれでもが手軽に健康状態を検査する目的には大きな不都合がある。また、採血は被験者に対する肉体的および心理的な負担も大きく、１日あたりに測定作業が可能な回数もせいぜい数回まででしかないため、時系列的に連続したデータが得られないという問題がある。
【０００４】
血液レオロジーを示す指標のひとつとして血液粘性と生体内の血流速度は強い相関があると考えられる。すなわち、血液の流動性が低い（粘性が高い）場合、血流速度は遅く、流動性が高い（粘性が低い）場合は血流速度が速いと考えられる。そのため、生体内の血流速度を計測することで、間接的に血液粘性を知ることが可能となる。そこで従来から、血液粘性と強い相関のある血流速度を計測するため、生体内を伝播し、血管内の血流に反射する超音波のドップラーシフトから血流速度を計測する発明である非侵襲ドップラー方式生体情報測定装置が提案されている（特許文献１または２参照）。この技術において、ドップラー方式で計測される血流速度Ｖｈを生体（人体）の最高血圧値Ｐｈで補正し、血液レオロジーを示すひとつの指標として、補正血流速度Ｖｃを
Ｖｃ＝Ｖｈ／Ｐｈ            （式１）
と定義すると、Ｖｃが大きい場合は、血液の流動性が高く（粘性が低い）、逆にＶｃが小さい場合は、流動性が低い（粘性が高い）といえるのである。
【特許文献１】特開２００３−１５９２５０号公報  「生体情報測定装置」
【特許文献２】特開２００３−２９０２２６号公報  「循環動態測定装置、循環動態測定方法、血圧測定方法および循環動態センサ」
【非特許文献１】菊池佑二「毛細血管モデルを用いた全血流動性の測定」（食品研究成果情報，NO.11  1999年発行）
【発明の開示】
【発明が解決しようとする課題】
【０００５】
生体内を伝播し、血管内の血流から反射する超音波のドップラーシフトから血流速度を計測する非侵襲ドップラー方式血液レオロジー測定において、特定の被験者については、微小流路流動分析装置による測定データと高い相関を有するデータを得ることができた。しかしながら、複数の被験者について測定を行うと、その生体の動脈血管径の個体差（個人差）から、従来の技術では、異なる被験者間のデータの比較において、相関性が低下する場合があった。この課題に対応した従来技術として、血管径をパルス超音波エコーで計測する装置が提案されている（特許文献２）。ただし、この特許文献２に記載の技術は、反射パルスの時間差を計測する方法であるため、血管が複数存在する場合に、それぞれの反射信号を分離することが極めて困難であり、動脈血管と静脈血管の区別も困難であるため、近傍に動脈血管が一本のみ存在する単純な組織構造の部位の測定以外は適用できなかった。たとえば、指先では複数の血管が存在するため、正確な血液粘性測定が不可能であった。
【０００６】
そこで本願発明は、血液の採取を行なわずに、専門家以外の誰でも手軽に正確な血流速度を計測し、血液レオロジーを低コスト測定可能とするのみならず、指先などの血管構造が複雑な部位での測定が可能で、異なる被験者間のデータにおいても相関性に優れた測定が可能な生体情報測定装置を提供することを目的とする。
【課題を解決するための手段】
【０００７】
上記課題を解決するために、本願発明では、超音波発信素子と超音波受信素子から成る超音波センサを複数個組み合わせた血流速度センサと、血管撮像装置とを組合わせて用いて計測を行う。一般に、管内を流れる粘性流体の速度は、圧力と、管径の２乗に比例し、粘性に反比例する。したがって、上記の関係から、生体中（血管中）を流れる血液の速度は超音波センサで測定し、圧力は血圧計にて測定する。動脈血管径は画像撮影装置にて撮影した血管画像から検出する。よって以上の各パラメータから流動性を求めることができる。
【発明の効果】
【０００８】
超音波センサと光センサを組合わせて用いることにより、被験者から採血を行うことなく、手軽に誰であっても血液レオロジーの測定が可能となり、さらに画像から動脈血管径のデータを得ることで、装置の精度が向上する。
【発明を実施するための最良の形態】
【０００９】
（実施の形態１）
まず、図面に基づき実施例の構成を説明する。図１は、本発明の測定装置の構成を示すブロック図である。図２には本発明で用いた血流速度センサを示す。また、図３に超音波ドップラー信号測定原理の概略を示す模式図を示す。
【００１０】
血流速度センサは、２対の超音波センサ、すなわち、発信素子２ａ、受信素子３ａから成る超音波センサ１ａと、発信素子２ｂ、受信素子３ｂから成る超音波センサ１ｂとを組み合わせたものである。超音波センサ１ａ、１ｂの発信素子２ａ、２ｂと受信素子３ａ、３ｂはいずれも圧電性セラミックス板に電極薄膜を形成した圧電振動素子である。本実施の形態においては超音波の周波数は１５ＭＨｚとした。本発明においては、２対の超音波センサ１ａ、１ｂを用い、超音波の射出および受信の指向性の方向が互いに平行にならない角度αを成すようにセンサ支持基板１０上に配置してある。この血流センサに、図３に示すように測定対象である生体７１（被験者の指先など）を接触させて、血流速度を計測する。
超音波センサ１ａの発信素子２ａから発した超音波（送信波１３ａ）は生体組織中を伝播し、血管中を流れる血液で反射される。反射波１４ａは、血液の流れる速度に従いドップラーシフトを受けた信号に変化している。この反射波を受信素子３ａで受信する。超音波センサ１ｂについても同様に、発信素子２ｂから発した超音波（送信波１３ｂ）は血流によるドップラーシフトを受けて反射され受信素子３ｂで検出されるのであるが、超音波センサ１ａと１ｂでは超音波の放射される指向方向が異なる。この超音波センサ１ａと１ｂの角度の差αと超音波センサ１ａと１ｂの信号から得られたそれぞれのドップラーシフト周波数ΔＦａ、ΔＦｂから血流速度を計算することが可能である。
【００１１】
超音波計測部５０は、２対の超音波センサ１からなる血流速度センサ、それぞれ２組の検波回路２３、フィルタ回路２４、増幅回路２５、Ａ／Ｄ変換器２６からなる。反射波７９ａ、７９ｂを受けた受信素子３ａ、３ｂのそれぞれの信号は、検波回路２３ａ、２３ｂで検波され、超音波の搬送波成分（ベース成分）を取り除いたドップラーシフト信号成分のみが取り出され、さらにフィルタ回路２４ａ、２４ｂによりＡ／Ｄ変換処理に不要な周波数成分を取り除き、増幅回路２５ａ、２５ｂでそれぞれ増幅される。このドップラーシフト信号はアナログ信号であるが、Ａ／Ｄ変換器２６a、２６ｂによりデジタルデータに変換され、バッファメモリ４１に一時蓄積される。
【００１２】
演算部５１は、バッファメモリ４１と、演算処理装置４３からなる。バッファメモリ４１は超音波計測部５０からの計測データを一時的に保持する。それぞれのバッファメモリ内のデータは一定量ごとに演算処理装置４３に送られる。演算処理装置４３は、各Ａ／Ｄ変換器によりデジタル化された各センサからのデータをデジタル入力部４４を経由して受取り、信号演算処理部４５および汎用演算処理部４６の演算機能により演算処理し、ノイズ成分を除去した血流速度を算出する。なお、演算処理装置４３が計測データのサンプリングレートに対して十分高速に動作するのであれば、バッファメモリ４１および４２は省略可能である。また信号演算処理部４５は特殊なハードウェア構成によって信号処理を高速に実行する装置であり、汎用演算処理部４６の処理速度が高速である場合は、信号演算処理部４５は省略可能である。
【００１３】
主記憶部４７は、計測データと演算処理装置４３が演算を実行するにあたって使用する演算データを保持するものである。測定データや演算結果のデータなど保存が必要なデータはストレージ４８に保存する。ストレージ４８は不揮発性のフラッシュメモリ装置またはハードディスク装置等で構成されるものである。
【００１４】
入出力装置等４９は、キーボード、マウスなどのユーザーインターフェース機能を有する装置、イーサネットまたはシリアル通信バスなどの通信機能を有する装置等である。ディスプレイ装置５５はＣＲＴ装置または液晶表示装置などの画面表示機能を有する装置である。さらに、周辺装置としては、血圧測定器が接続され、データを血圧値で補正することができる。
【００１５】
図３に示すように、血流センサ１０に測定対象である生体７１（実施例においては被験者の指先）を接触させて、血流速度を計測する。超音波センサ１ａの発信素子２ａから発した超音波（送信波７８ａ）は生体組織中を伝播し、血管を流れる血液で反射される。反射波１４ａは、血液の流速に従いドップラーシフトを受けた信号に変化する。この反射を受信素子３ａで受信する。超音波センサ１ｂについても同様に、発信素子２ｂから発した超音波（送信波７８ｂ）は血流によるドップラーシフトを受けて反射され受信素子３ｂで検出されるのであるが、超音波の放射される指向方向が異なる。
受信素子３ａ、３ｂで受けたそれぞれの反射波７９ａ、７９ｂの信号は、それぞれ、検波回路２３ａ、２３ｂで検波され、超音波の搬送波成分（ベース成分）を取り除いたドップラー信号成分のみが取り出され、さらにフィルタ回路２４ａ、２４ｂによりＡ／Ｄ変換処理に不要な高周波成分を取り除いた後、増幅回路２５ａ，２６ｂでそれぞれ増幅される。このドップラー信号はアナログ信号であるが、Ａ／Ｄ変換器２６a、２６ｂによりデジタルデータに変換され、バッファメモリ４２に一時蓄積された後、演算処理装置４３へデジタル入力部を通して主記憶部４７に転送され、記憶される。
【００１６】
なお、これら測定データを直ちに解析処理を行わない場合、装置に付属した外部記憶であるストレージ４８または入出力装置等４９のネットワークを介して外部記憶メディアに蓄積しておき、解析処理に必要な時点で取り出せばよい。
【００１７】
上記測定で得られた超音波センサ１ａと超音波センサ１ｂのそれぞれのドップラー信号のデジタルデータを演算処理装置４３の信号演算処理部４５および汎用演算処理部４６においてフーリエ変換（ＦＦＴ）処理により、周波数分布（スペクトル）データに変換し、周波数分布データを主記憶部４７に記憶する。Ａ／Ｄ変換のサンプリング周波数をｆｓ＝２０ｋＨｚ、ＦＦＴ処理の個数をＮｆ＝２５６個とすると、０．０１２８秒毎の周波数分布データが、Ｎｆ＝５１２個とすると、０．０２５６秒毎の周波数分布データが得られることになる（ただし、ＦＦＴ処理のデータ個数とＦＦＴ処理の時間間隔は必ずしも一致しなくてもよい。たとえば、０．０１秒間隔で２５６個ずつのデータを処理することも可能である）。
【００１８】
以上の方法で超音波センサ１ａのデータから得られた周波数シフトをＦａ、超音波センサ１ｂのデータから得られた周波数シフトをＦｂ、とすると、血流速度Ｖｈは、下記の式で導出できる。
【００１９】
Ｖｈ  ＝  ｃＦａ／２Ｆｓｃｏｓθ            （式２）
ここで、
θ＝ａｔａｎ（  （−ｃｏｓα  −  Ｆｂ／Ｆａ）／ｓｉｎα  ）            （式３）
αは２つの超音波センサの超音波の射出および受信の指向性のなす角度、ｃは生体中での音速、Ｆｓは超音波センサの発信周波数（駆動周波数）である。
【００２０】
なお、血液は生体の血圧Ｐで押し出されて流動するものであるため、血流速度Ｖｈは、生体の血圧の影響も受けるものと考えられる。血圧の影響を補正するために、血流速度Ｖｈを血圧測定器で測定した最高血圧Ｐｈで割り算する。このＶｈ／Ｐｈの値を便宜上、補正血流速度Ｖｃと呼ぶこととする。
【００２１】
Ｖｃ＝Ｖｈ／Ｐｈ            （式１）
この補正血流速度Ｖｃが大きければ、相対的に生体中の血液の流動性が高く（粘性が低い）、補正血流速度Ｖｃが小さければ血液の流動性が低い（粘性が高い）ということである。ただし、複数の個体（被験者）のデータを評価すると、動脈血管径の個体差（個人差）の影響があり、測定値のばらつきが大きくなる場合がある。
【００２２】
上記の動脈血管径を計測するために、図２〜図５に示す画像撮影装置９を用いる。画像撮影装置９は、照明装置１１が発し、生体７１を透過した光線をとらえて生体７１内部の血管画像を得る手段である。実施例では発光素子１２は、波長８６０ｎｍの高輝度ＬＥＤであり、レンズ１３で集光され、生体７１に照射される。透過光は、生体中の水を透過し、血管中のヘモグロビンで一部が吸収されるため、レンズ５を通して撮像素子６上に、血管部分の輝度が低下した画素として像を結ぶ。撮像素子６としては、３５万画素以上のＣＣＤ画像センサまたはＣＭＯＳ画像センサを用いる。撮像素子６で得られた画像データはいったんバッファメモリ３１に蓄積され、画像データ処理装置３２へ転送される。画像データは画像データ処理装置３２の演算処理部で処理され、処理装置３２は血管径９４を抽出する。
血管径検出手段は画像データ処理装置３２の演算処理部で実行されるプログラムであり、バッファメモリから処理メモリ上に転送された画像データにコントラスト強調、２値化などの処理を行い、図８に例として示す画像データ９０から動脈血管径９４（図１０）を得る。動脈血管径９４のデータは演算処理装置５１に送られ、血液流動性データの補正に用いられる。
【００２３】
ここで新たに、血液の流動性を示す血液粘性指標Ｒｈを、補正血流速度Ｖｃを血管径ｄの二乗で割ってさらに補正した値として次式のように定義する。
【００２４】
Ｒｈ  ＝  Ｖｃ／（ｄ×ｄ）＝  Ｖｈ／Ｐｈ／（ｄ×ｄ）            （式４）
すなわち、Ｒｈが大きいほど、血液の流動性が高く、Ｒｈが小さいほど血液の流動性が低いことを表しているが、バラツキの要因と考えられる血管径ｄの値を計測して補正しているため、補正血流速度ＶｃよりもＲｈはより正確に血液の流動性を示すことができるのである。指における実際の血管径は、約０．５ｍｍから１．５ｍｍと考えられるので、これを補正しないと、データに約９倍ものばらつきが生じてしまうが、動脈血管径をプラスマイナス１０％の精度で測定できれば、プラスマイナス２０％程度の精度で粘性指標Ｒｈが測定できるのである。
【００２５】
なお、演算処理装置４３の処理能力が十分大きい場合、別途画像処理装置３２を備えることなく、画像処理装置３２の機能を演算処理装置４３で兼ねても良い。
（実施の形態２）
近赤外線は静脈血液にも吸収されるため、図８に示すように同一の画像データ内に動脈画像と静脈画像の両方が含まれている場合があり、血管径の計測を誤ってしまうことがありえる。そこで、実施の形態２においては、この課題を解決するための手段を提供するものである。
【００２６】
照明装置１１の発光素子１２として、実施例では、波長８６０ｎｍに加えて波長６８０ｎｍのＬＥＤを用いて、２波長とする。図１１に示すようにそれぞれの波長の発光素子を交互に発光させ、それぞれのタイミングにおいて撮像素子６で撮像を行い、それぞれ別の画像データを得る。波長６８０ｎｍの光は、動脈血に比較して静脈血に吸収されやすい波長であるため、図７に示すような静脈のみの画像の写された画像データが得られる。図６の画像データから図７の差し引くことで、動脈の画像のみが残り、図８のような動脈像の画像データが得られ、そこから動脈血管径を得ることができる。
（実施の形態３）
前述の実施の形態２と同様の課題に対処するものである。図６の画像データを０．１秒以下の一定時間間隔で連続的に撮影し、記録する。この連続した画像データの各画素の輝度（または濃度）の時間変化は、図１０に示すように、動脈画像の画素輝度変化は脈動状であり（動脈領域画素輝度８４）、他方、組織透過領域画素輝度８３と静脈領域画素輝度８７は、動脈画像のような規則的な脈動はほとんどない。したがって、脈動の振幅８５が一定以上となる画素のみを残し、脈動の見られない画素を消去することで、図８のような動脈のみの画像が得られ、動脈血管径が得られる。
（実施の形態４）
実施の形態３において、静脈にもなんらかのゆらぎが生じたり、微小信号を検出することから、ノイズの混入によって動脈領域の画素以外にもなんらかの脈動が発生した場合、単純に振幅８５を評価しただけでは動脈画像の抽出が困難になると考えられる。そこで、実施の形態４として、図９に示す、血流速度センサ１０で得られた血流速度波形８０の脈動周期８２と同期する周期８６を有する画素のみを残して、他の画素を消去することで、図８のような動脈のみの画像が得られ、動脈血管径が得られる。
（実施の形態５）
図５、６、７は、本発明の装置における照明装置１１を支持する構成を模式的に示すものである。
【００２７】
図５、６はレール１０１の任意の位置に照明装置１１が固定可能な構成の例を示す図である。図５においては照明装置１１を複数備えた実施例を示している。レール１０１は装置本体に固定された十分な強度を有する部材である。図６に示すように、照明装置１１はクランプ部１０２を介してレール１０１と接続されている。レール１０１とクランプ部１０２は固定ねじ１０３を締込むことで固定される。ねじ以外にばね性の部材などで固定してもよい。
【００２８】
図７は、任意の角度で照明装置１１が固定可能な構成の例を示す図である。照明装置１１は支持腕部１１１に固定され支持されている。支持腕部１１１と軸１１２は固定されており、軸受け１１３に取り付けられている。軸受け１１３は、装置本体に固定されている。支持腕部１１１は軸を中心に自由な角度を取ることができ、固定ねじ１１４を締込むことで固定される。
【００２９】
以上のような構成で照明装置１１を血管画像撮影に適した位置に固定することができる。たとえば、骨組織７４を避けた位置などである。
【産業上の利用可能性】
【００３０】
本発明は、医療および健康維持・増進を目的として、血液の流動性（流れやすさ）を計測することが可能であるだけでなく、生体（人体）の活動状況と生体各部における血流状態の相関を知るための計測においても利用可能である。
【図面の簡単な説明】
【００３１】
【図１】本発明に係る測定装置の構成を示すブロック図である。
【図２】図ａ本発明に係るセンサの構成を示す図である。
【００３２】
図ｂ本発明に係るセンサの構成を示す図である。
【図３】本発明に係るセンサの構成を示す図である。
【図４】本発明に係るセンサの構成を示す図である。
【図５】本発明に係るセンサの構成を示す図である。
【図６】本発明に係る装置の構成を示す図である。
【図７】本発明に係る装置の構成を示す図である。
【図８】生体の透過画像データの例を示す図である。
【図９】生体の透過画像データの例を示す図である。
【図１０】生体の透過画像データの例を示す図である。
【図１１】血流速度波形を示す図である。
【図１２】透過画像の画素輝度波形を示した図である。
【図１３】本発明に係る発光素子の駆動方法を示す図である。
【符号の説明】
【００３３】
１ａ、１ｂ    超音波センサ
２ａ、２ｂ    発信素子
３ａ、３ｂ    受信素子
４    センサ支持部材
５    レンズ
６    撮像素子
７    保護ガラス
８    光学フィルタ
９    画像撮影装置
１０    血流速度センサ
１１    照明装置
１２    発光素子
１３    レンズ
１４    光学フィルタ
２１    発信回路
２３ａ、２３ｂ    検波回路
２４ａ、２４ｂ    フィルタ回路
２５ａ、２５ｂ    増幅回路
２６ａ、２６ｂ    Ａ／Ｄ変換器
２７    増幅回路
２８    フィルタ回路
２９    Ａ／Ｄ変換器
３１    バッファメモリ
３２    画像データ処理装置
４１ａ、４１ｂ    バッファメモリ
４３    演算処理装置
４４    デジタル入力部
４５    信号演算部
４６    汎用演算部
４７    主記憶部
４８    ストレージ
４９    入出力装置等
５０    超音波計測部
５１    演算部
５２    血圧測定器
５３    光計測部
５４    周辺機器
５５    ディスプレイ装置
６４    駆動電圧（ａ）
６５    駆動電圧（ｂ）
６６    Ａ／Ｄ変換タイミング
７１    生体（指先）
７２    動脈血管
７３    静脈血管
７４    骨組織
７８    送信波
７９    反射波
８０    血流速度波形
８１    血流速度のピーク
８２    脈動周期
８３    組織透過領域画素輝度
８４    動脈領域画素輝度
８５    振幅
８６    脈周期
８７    静脈領域画素輝度
９０    画像データ
９１    組織透過領域
９２    静脈領域
９３    動脈領域
９４    動脈血管径
１０１    レール
１０２    クランプ部
１０３    固定ねじ
１１１    支持腕部
１１２    軸
１１３ａ    軸受け部
１１３ｂ    軸受け部
１１４    固定ねじ
【図１】
2006204432.tif 000003
【図２】
2006204432.tif 000004
【図３】
2006204432.tif 000005
【図４】
2006204432.tif 000006
【図５】
2006204432.tif 000007
【図６】
2006204432.tif 000008
【図７】
2006204432.tif 000009
【図８】
2006204432.tif 000010
【図９】
2006204432.tif 000011
【図１０】
2006204432.tif 000012
【図１１】
2006204432.tif 000013
【図１２】
2006204432.tif 000014
【図１３】
2006204432.tif 000015